【事件の表示】
　特許第３２２２１０７号に関する訂正審判事件について、次のとおり審決する。
【結　論】
　特許第３２２２１０７号に係る明細書及び図面を本件審判請求書に添付された訂正明細書及び図面のとおり訂正することを認める。
【理　由】
第１．請求の要旨
　本件審判請求の要旨は、特許第３２２２１０７号発明（平成１０年７月１６日特許出願、平成１３年８月１７日設定登録）の明細書を審判請求書に添付した訂正明細書のとおり、すなわち、下記のとおりに訂正することを求めるものである。
　
　
第２．訂正事項
　［１］．特許請求の範囲の請求項１を下記の通りに訂正する。
　　「略正方形状の網地を一側縁部に蓋片が突出するように折り曲げられており、この折り曲げ部に対して直角方向の両側短辺部が重ね合わせた状態で連結されており、上記折り曲げ部が正方形状の底部の一方の対角線となるように拡げられて上記両連結部が上記対角線上に沿うと共に二つ折りした蓋片が閉じた状態となるように折り畳まれている網袋であって、底面部の外縁部より上方に至るに従い、次第に外方に傾斜するように起こされて皿状に形成された底部、この底部の上方に続く四角錐状部、この四角錐状部の稜部において口部を開放可能に閉塞し得る蓋片を有する網袋と、前記網袋の折り畳み状態の底部の外形より小さい正方形状の外枠を有し、上記網袋の皿状の底部内側における底面部上に設けられて上記網袋の底面部と連結される枠体と、上記網袋の底面部中央部と四角錐状部の頂部に挿通され、上記網袋を吊下げることができる吊綱とを備え、上記蓋片が一方を他方の内方に潜らせるように構成された貝類中間育成篭。」
　［２］．特許請求の範囲の請求項３を下記の通りに訂正する。
　　「底面部の外縁部より上方に至るに従い、次第に外方に傾斜するように起こされて皿状に形成された底部、この底部の上方に続く四角錐状部、この四角錐状部の稜部において口部を開放可能に閉塞し得る蓋片を有する網袋と、正方形状の外枠を有し、上記網袋の皿状の底部内側における底面部上に設けられて上記網袋の底面部と連結される枠体と、上記網袋の底面部中央部と四角錐状部の頂部に挿通され、上記網袋を吊下げることができる吊綱とを備え、上記蓋片が一方を他方の内方に潜らせるように構成され、かつ、蓋片が長手方向に沿って一本ないし複数本の補強用芯材を一体的に有する貝類中間育成篭。」
 　［３］．明細書の段落番号【００１０】を下記の通りに訂正する。
　　「上記課題を解決するために本発明の貝類中間育篭は、略正方形状の網地を一縁部に蓋片が突出するように折り曲げられており、この折り曲げ部に対して直角方向の両側短辺部が重ね合わせた状態で連結されており、上記折り曲げ部が正方形状の底部の一方の対角線となるように拡げられて上記両連結部が上記対角線上に沿うと共に二つ折りした蓋片が閉じた状態となるように折り畳まれている網袋であって、底面部の外縁部より上方に至るに従い、次第に外方に傾斜するように起こされて皿状に形成された底部、この底部の上方に続く四角錐状部、この四角錐状部の稜部において口部を開放可能に閉塞し得る蓋片を有する網袋と、前記網袋の折り畳み状態の底部の外形より小さい正方形状の外枠を有し、上記網袋の皿状の底部内側における底面部上に設けられて上記網袋の底面部と連結される枠体と、上記網袋の底面部中央部と四角錐状部の頂部に挿通され、上記網袋を吊下げることができる吊綱とを備え、上記蓋片が一方を他方の内方に潜らせるように構成されたものである。」
 ［４］．明細書の段落番号【００１２】を下記の通りに訂正する
　 「また、底面部の外縁部より上方に至るに従い、次第に外方に傾斜するように起こされて皿状に形成された底部、この底部の上方に続く四角錐状部、この四角錐状部の稜部において口部を開放可能に閉塞し得る蓋片を有する網袋と、正方形状の外枠を有し、上記網袋の皿状の底部内側における底面部上に設けられて上記網袋の底面部と連結される枠体と、上記網袋の底面部中央部と四角錐状部の頂部に挿通され、上記網袋を吊下げることができる吊綱とを備え、上記蓋片が一方を他方の内方に潜らせるように構成された貝類中間育成篭の蓋片に長手方向沿って一本ないし複数本の補強用芯材を一体的に取付けることができる。」
 ［５］．明細書の段落番号【００３２】の記載を下記の通りに訂正する。
　「【発明の効果】
　　　以上説明したように本発明によれば、網袋の底面部、皿状の底部、および、四角錐状部の張り方のバランスが同じであり、枠体および吊綱からかかる張力が、蓋片には直接的にはかからないし、網袋にはバランスよくかかり、しかも、蓋片が網袋に事後に付加形成するものではないから、貝類の中間育成時も分散作業時も両側に引張らない限り、蓋片はその一方を他方の内方に潜りこんだ状態を常に維持し、貝類が散逸することはない。
　　　また、以上説明したように本発明によれば、蓋片を両側に引張るだけで口部を開放し、蓋片を解放することにより口部を閉じることができ、稚貝の収納、取り出し作業を簡単に、かつ迅速に行うことができる。したがって、結果として養殖の作業能率の向上およびコストの低下を図ることができる。」
　　
　　
第３．訂正要件の検討．
　［１］．訂正事項１について、
　　特許請求の範囲の請求項１の訂正は、訂正前の請求項１の網袋の構造を、「略正方形状の網地を一側縁部に蓋片が突出するように折り曲げられており、この折り曲げ部に対して直角方向の両側短辺部が重ね合わせた状態で連結されており、上記折り曲げ部が正方形状の底部の一方の対角線となるように拡げられて上記両連結部が上記対角線上に沿うと共に二つ折りした蓋片が閉じた状態となるように折り畳まれている網袋」と限定すると共に、「外枠」を「網袋の折り畳み状態の底部の外形より小さい」と限定したものであるから特許請求の範囲の減縮を目的とするものに当たる。
　そして、上記限定事項は、明細書の段落【００１９】ないし段落【００２１】に記載され、かつ、図面の図７、図８、図９、図１０、図１１、に示されている。
　　
　［２］．訂正事項２について、
　　特許請求の範囲の請求項３の訂正は、訂正前の請求項１を引用する従属形式のものであったものを、請求項１のとおり特許請求の範囲の減縮を必要としないので、訂正前の請求項１の記載をそのまま補充して独立形式の請求項の記載に訂正するものであるから、明瞭でない記載の釈明を目的とするものに当たる。
　　
　［３］．訂正事項３、訂正事項４、について、
　　訂正事項３、訂正事項４は、各々、特許請求の範囲の請求項１、請求項３の訂正と整合させるためのもので、明瞭でない記載の釈明を目的としたものある。
　
　［４］．訂正事項５について、
　　訂正事項５は、前記訂正事項［１］の特許請求の範囲の請求項１の訂正と整合させるための特有の効果を明らかにしたもので、明瞭でない記載の釈明を目的としたもので、その効果は、図面の記載から直ちに認識できる効果である。
　
　［５］．まとめ
　　以上のように上記各訂正は、願書に最初に添付した明細書の記載の範囲内のものであって、かつ、実質上特許請求の範囲を拡張し、又は変更するものでない。
　また、訂正後における特許請求の範囲に記載されている事項により特定される発明が特許出願の際独立して特許を受けることができない発明でもない。
　　
　　
第４．むすび
　　　したがって、本件審判の請求は、特許法第１２６条第１項第１号ないし第３号に掲げる事項を目的とし、かつ、同条第２項ないし第４項の規定に適合する。
　よって、結論のとおり審決する。